(57)【要約】【課題】着用状態にあるときの外観を良好に保つことのできる着用物品の提供。【解決手段】使い捨ておむつを一例とする着用物品のシャシー２０が後胴回り域の両側縁部２１に横方向Ｘへ延出するパネル部３０を有する。パネル部３０は、基縁部３２と先端縁部３３との間に延びる前縁部３４と後縁部３６とを有する。前縁部３４と後縁部３６とのうちの少なくとも一方は、パネル部３０の中央域４５を形成しているシート材料３１の拡張部分と、その拡張部分とは別体の追加の材料５１，５２とによって形成される。【選択図】図２
2014073251.tif 000002
【特許請求の範囲】
【請求項１】
互いに直交する前後方向と横方向とを有するシャシーの前記前後方向では前胴回り域と後胴回り域との間に股下域が介在し、前記後胴回り域では前記前後方向へ互いに並行して延びる前記シャシーの両側縁部からパネル部が延出し、延出した前記パネル部の先端縁部には前記前後胴回り域を連結するためのファスナ部が形成されている着用物品であって、
前記パネル部は、前記シャシーに対する接合部位を有していて前記前後方向へ延びる基縁部と、前記基縁部に並行して前記前後方向へ延びる前記先端縁部とを有し、前記基縁部と前記先端縁部との間には前縁部と後縁部とが延びていて、前記前縁部と前記後縁部との前記前後方向における離間寸法が前記基縁部から前記先端縁部に向かって次第に小さくなっており、前記前縁部と前記後縁部とのうちの少なくとも一方の縁部が、前記パネル部の前記前後方向の中央域を形成しているシート材料の前記前後方向における拡張部分と前記拡張部分とは別体のものであって前記少なくとも一方の縁部に沿って延びていて前記拡張部分に接合している追加の材料とによって形成されていることを特徴とする前記着用物品。
【請求項２】
前記追加の材料が、前記少なくとも一方の縁部に沿って伸長状態および非伸長状態のいずれかの状態で延びる弾性材料である請求項１記載の着用物品。
【請求項３】
前記追加の材料が糸状のものおよび帯状のもののいずれかである請求項１または２記載の着用物品。
【請求項４】
前記追加の材料が、前記少なくとも一方の縁部において折り重ねられている前記拡張部分によってサンドウィッチされている請求項１−３のいずれかに記載の着用物品。
【請求項５】
前記ファスナ部が前記前後方向において前記前縁部と前記後縁部との間に位置し、前記追加の材料が、前記前後方向において、前記前縁部と前記ファスナ部との間、および前記後縁部と前記ファスナ部との間のうちの少なくとも一方に広がるシート状のものである請求項１記載の着用物品。
【請求項６】
前記パネル部は台形のものであって、前記先端縁部が前記前後方向へ延びて前記基縁部に平行し、前記前縁部と前記後縁部とは長さが等しくかつ前記基縁部との交角が等しい請求項１−５のいずれかに記載の着用物品。
【請求項７】
前記ファスナ部は、前記先端縁部に接合する固定域と前記先端縁部から前記横方向へ延びる延出域とを有するテープ部と、前記延出域にあって前記前胴回り域の所要部位に対して着脱可能な止着部とによって形成されていて、前記固定域が前記前縁部と前記後縁部との間に位置し、かつ、前記追加の材料と重なることがないように前記先端縁部に接合している請求項１−６のいずれかに記載の着用物品。
【請求項８】
前記ファスナ部は、前記折り重ねられている前記拡張部分と重なることがないように前記固定域が前記先端縁部に接合している請求項７記載の着用物品。
【請求項９】
前記シャシーは前記両側縁部に前記前後方向へ伸長状態で延びる脚回り弾性部材を有し、前記ファスナ部における前記固定域の輪郭の一部分を形成している前縁部と前記基縁部における前記接合部位の前端部分とを結ぶ線の延長線が前記脚回り弾性部材と交差する請求項７または８記載の着用物品。
【請求項１０】
前記パネル部の前記中央域を形成している前記シート材料が前記横方向において伸長と収縮との反復が可能である弾性シートおよび前記反復が不能である非弾性シートのいずれかである請求項１−９のいずれかに記載の着用物品。
【発明の詳細な説明】
【技術分野】
【０００１】
この発明は、使い捨てのおむつ、使い捨てのおむつカバー、失禁パッドのホルダー等として使用するのに好適な着用物品に関する。
【背景技術】
【０００２】
これら着用物品であって、その着用物品における前後胴回り域をファスナを介して分離可能に連結するものは周知である。例えば、その着用物品が使い捨てのおむつである場合には、開放型のおむつの名の下に周知である。また、そのファスナを着用物品の後胴回り域の側縁部から延出しているパネル部の先端縁部に設ける例もよく知られている。さらにはまた、そのパネル部がおむつの横方向において弾性的に伸長と収縮とが可能なものである例もよく知られている。
【０００３】
例えば、特開２００５−９５６４８号公報（特許文献１）に記載の使い捨ておむつは、後胴回り域の側縁部から横方向へ延出する弾性ウイングを有し、弾性ウイングの先端部分にテープファスナが取り付けられている。弾性ウイングは、横方向へ伸長された状態にある弾性プラスチックフィルムを二枚の不織布でサンドウィッチすることにより形成されていて、横方向への伸長と収縮とが可能である。テープファスナは、弾性ウイングを介して前胴回り域と後胴回り域とを分離可能に連結するために使用されるもので、テープファスナの幅であるおむつの前後方向の寸法が弾性ウイングの先端部分における前後方向の寸法よりも小さい、すなわち、テープファスナは、弾性ウイングよりも幅の狭いものである。
【先行技術文献】
【特許文献】
【０００４】
【特許文献１】特開２００５−９５６４８号公報
【発明の概要】
【発明が解決しようとする課題】
【０００５】
前記従来のおむつを乳幼児に対して着用させるときには、後胴回り域から前胴回り域に向けて弾性ウイングを引張り、弾性的に伸長させた状態でテープファスナを前胴回り域の所要部位に止着する。その弾性ウイングを引張るときには、幅の狭いテープファスナを持つのが通例である。そのようにして引張られた弾性ウイングは、前後方向の中央部、換言すると幅方向の中央部が緊張状態になっておむつ着用者の肌を覆う前胴回り域に密着する一方、横方向へ延びる弾性ウイングの前縁部と後縁部は前胴回り域から離れるように反り返ることがある。そのような状態にある弾性ウイングは、その外観が好ましいものではないことに加えて、着用したおむつの外面の滑らかさを損ない、その外面を肌触りの悪いものにするということがある。また、乳幼児が着用したシャツやスカート等をふくらませて、それらシャツやスカートの外観を悪いものにするということもある。
【０００６】
この発明が課題とするところは、着用状態にあるときの着用物品における外観を良好に保つことができるように改良された着用物品の提供である。
【課題を解決するための手段】
【０００７】
前記課題を解決するために、この発明が対象とするのは、互いに直交する前後方向と横方向とを有するシャシーの前記前後方向では前胴回り域と後胴回り域との間に股下域が介在し、前記後胴回り域では前記前後方向へ互いに並行して延びる前記シャシーの両側縁部からパネル部が延出し、延出した前記パネル部の先端縁部には前記前後胴回り域を連結するためのファスナ部が形成されている着用物品である。
【０００８】
この着用物品において、この発明が特徴とするところは、以下のとおりである。すなわち、前記パネル部は、前記シャシーに対する接合部位を有していて前記前後方向へ延びる基縁部と、前記基縁部に並行して前記前後方向へ延びる前記先端縁部とを有する。前記基縁部と前記先端縁部との間には前縁部と後縁部とが延びていて、前記前縁部と前記後縁部との前記前後方向における離間寸法が前記基縁部から前記先端縁部に向かって次第に小さくなっている。前記前縁部と前記後縁部とのうちの少なくとも一方の縁部は、前記パネル部の前記前後方向の中央域を形成しているシート材料の前記前後方向における拡張部分と前記拡張部分とは別体のものであって前記少なくとも一方の縁部に沿って延びていて前記拡張部分に接合している追加の材料とによって形成されている。
【０００９】
この発明の実施態様の一つにおいて、前記追加の材料が、前記少なくとも一方の縁部に沿って伸長状態および非伸長状態のいずれかの状態で延びる弾性材料である。
【００１０】
この発明の実施態様の一つにおいて、前記追加の材料が糸状のものおよび帯状のもののいずれかである。
【００１１】
この発明の実施態様の一つにおいて、前記追加の材料が、前記少なくとも一方の縁部において折り重ねられている前記拡張部分によってサンドウィッチされている。
【００１２】
この発明の実施態様の一つにおいて、前記ファスナ部が前記前後方向において前記前縁部と前記後縁部との間に位置し、前記追加の材料が、前記前後方向において、前記前縁部と前記ファスナ部との間、および前記後縁部と前記ファスナ部との間のうちの少なくとも一方に広がるシート状のものである。
【００１３】
この発明の実施態様の一つにおいて、前記パネル部は台形のものであって、前記先端縁部が前記前後方向へ延びて前記基縁部に平行し、前記前縁部と前記後縁部とは長さが等しくかつ前記基縁部との交角が等しい。
【００１４】
この発明の実施態様の一つにおいて、前記ファスナ部は、前記先端縁部に接合する固定域と前記先端縁部から前記横方向へ延びる延出域とを有するテープ部と、前記延出域にあって前記前胴回り域の所要部位に対して着脱可能な止着部とによって形成されていて、前記固定域が前記前縁部と前記後縁部との間に位置し、かつ、前記追加の材料と重なることがないように前記先端縁部に接合している。
【００１５】
この発明の実施態様の一つにおいて、前記ファスナ部は、前記折り重ねられている前記拡張部分と重なることがないように前記固定域が前記先端縁部に接合している。
【００１６】
この発明の実施態様の一つにおいて、前記シャシーは前記両側縁部に前記前後方向へ伸長状態で延びる脚回り弾性部材を有し、前記ファスナ部における前記固定域の輪郭の一部分を形成している前縁部と前記基縁部における前記接合部位の前端部分とを結ぶ線の延長線が前記脚回り弾性部材と交差する。
【００１７】
この発明の実施態様の一つにおいて、前記パネル部の前記中央域を形成している前記シート材料が前記横方向において伸長と収縮との反復が可能である弾性シートおよび前記反復が不能である非弾性シートのいずれかである。
【発明の効果】
【００１８】
この発明に係る着用物品は、シャシーの両側縁部から延出するパネル部の前縁部と後縁部とのうちの少なくとも一方の縁部が、パネル部の前後方向における中央域を形成しているシート材料の拡張部分と、その一方の縁部に沿って延びてはいるが拡張部分とは別体のものであって拡張部分に接合している追加の材料とによって形成されていて、中央域に比べて変形しにくくなっているから、着用したおむつ等の着用物品におけるパネル部の少なくとも一方の縁部は、しわや折れ曲がりや反り返りが生じにくく、前胴回り域の外面によく密着して、その外面の滑らかさを損なうことがない。
【図面の簡単な説明】
【００１９】
【図１】着用物品の一例として示す、使い捨ておむつの部分破断平面図。
【図２】図１の部分拡大図。
【図３】図２のＩＩＩ−ＩＩＩ線拡大断面図。
【図４】弾性シートに前方弾性部材と後方弾性部材を取り付ける工程の一例を示す図。
【図５】実施態様の一例を示す図３と同様な図。
【図６】実施態様の一例を示す図３と同様な図。
【図７】実施態様の一例を示す図２と同様な図。
【発明を実施するための形態】
【００２０】
この発明に係る着用物品として使い捨ておむつを例にとり、この発明の詳細を説明すると、以下のとおりである。
【００２１】
図１のおむつ１は開放型のものであって、ほぼ矩形のシャシー２０を有する。シャシー２０は、透液性表面シート２と、不透液性裏面シート３とを有し、これら両シート２，３の間には吸収体１０が介在している。両シート２，３はまた、吸収体１０の周縁から延出する部分において重なり合い、ホットメルト接着剤（図示せず）を介して接合している。おむつ１の横方向と前後方向とは、双頭矢印Ｘ，Ｙで示されている。シャシー２０は、その前後方向Ｙにおいて、前胴回り域６と、後胴回り域７と、これら両域６，７の間に介在する股下域８とを有する。前胴回り域６と後胴回り域７とには、横方向Ｘへ延びる帯状の胴回り弾性部材１１，１２が表面シート２と裏面シート３との間にあって、これら両シート２，３の少なくとも一方に伸長状態で取り付けられている。股下域８には、シャシー２０の側縁部２１に沿って前後方向Ｙへ延びる複数条の脚回り弾性部材１３が表面シート２と裏面シート３との間にあって、これら両シート２，３の少なくとも一方に伸長状態で取り付けられている。好ましいシャシー２０において、脚回り弾性部材１３は前後胴回り域６，７のうちの少なくとも後胴回り域７に進入している。
【００２２】
さらに、図１，２において、シャシー２０における後胴回り域７の側縁部２１のそれぞれからは、パネル部３０が横方向Ｘに向かって延出している。パネル部３０は、前後方向Ｙにおける中央域４５が横方向Ｘにおいて弾性的な伸長と収縮とを反復することが可能な弾性シート３１によって形成されている。パネル部３０はまた、中央域４５に加えて、基縁部３２と、先端縁部３３と、前縁部３４と、後縁部３６とを有し、基縁部３２と先端縁部３３とが前後方向Ｙへ延びる一方、前縁部３４と後縁部３６とは基縁部３２と先端縁部３３との間に延びている。基縁部３２は、おむつ１の厚さ方向において、裏面シート３と後記防漏堤１６との間にあり、ホットメルト接着剤１７を介してこれら両者３，１６に接合している。前縁部３４と後縁部３６とは、中央域４５を形成している弾性シート３１が前後方向Ｙへ拡張することによって形成されていて、弾性シート３１の拡張部分と呼ぶことができる。ファスナ部３７は、弾性シート３１に取り付けられているテープ部３８と、止着部３９とを有する。テープ部３８は非伸長性の不織布やプラスチックフィルムで形成されていて、固定域３８ａと延出域３８ｂとを有する。固定域３８ａは、ホットメルト接着剤等の接合手段（図示せず）を介してパネル部３０に剥離不能に接合している。延出域３８ｂは、先端縁部３３から横方向Ｘに延出している摘持可能な部位であって、その内面に止着部３９を有する。止着部３９は、前胴回り域６の外面に形成されたターゲット域（図示せず）またはそれに代わる適宜の部位に対して着脱可能であって、商品名マジックテープ（登録商標）等で知られるメカニカルファスナのフック部材や粘着剤等によって形成されている。
【００２３】
シャシー２０の両側縁部２１のそれぞれでは、防漏堤１６が前後方向Ｙに延びている。防漏堤１６は、撥水性のシート、より好ましくは撥水性にして不透液性のシートで形成されているものであって、互いに並行する外側縁部１６ａと内側縁部１６ｂ、および互いに並行する前端縁部１６ｃと後端縁部１６ｄを有している。外側縁部１６ａと前端縁部１６ｃと後端縁部１６ｄとは、ホットメルト接着剤１７を介してシャシー２０に接合している。内側縁部１６ｂは、前後方向Ｙのうちの少なくとも股下域８においてはシャシー２０に接合しておらず、シャシー２０の厚さ方向において表面シート２から離間可能である。内側縁部１６ｂはまたスリーブ１８を有し、スリーブ１８の内側には糸状弾性部材１９がホットメルト接着剤（図示せず）を介して伸長状態で取り付けられている。かような防漏堤１６は、おむつ１が着用されてシャシー２０が表面シート２を内側にして前後方向Ｙにおいて湾曲すると、伸長状態にあった糸状弾性部材１９が収縮して、内側縁部１６ｂが表面シート２から離間し、表面シート２に対して防漏堤１６が起立した状態になり、表面シート２の上にある体液が横漏れすることを防止することができる。
【００２４】
さらに、図１の部分拡大図である図２において、パネル部３０は、基縁部３２から横方向Ｘへ延びる前縁部３４が基縁部３２と交角αで交わり、後縁部３６が基縁部３２と交角βで交わっている。交角α，βは５０−８０°の範囲にあり、好ましいパネル部３０では、交角αと交角βとが等しい。また、基縁部３２の長さは４０−１３０ｍｍの範囲にあり、先端縁部３３の長さは２０−１００ｍｍの範囲にあることが好ましい。交角α，βが５０°よりも小さいと、ファスナ部３０に作用させる横方向Ｘの引張り力によって胴回り弾性部材１２を胴回り方向へ引張るということが難しくなる。また、交角α，βが８０°よりも大きいと、パネル部３０が必要以上に大きなものになることがある。前縁部３４と後縁部３６との長さは、基縁部３２と先端縁部３３との長さと交角α，βの大きさとによって決まる値であるが、好ましいパネル部３０では、前縁部３４と後縁部３６とが同じ長さを有している。したがって、この発明における好ましいパネル部３０の形状は等脚台形である。また、好ましいパネル部３０とシャシー２０とでは、胴回り方向へ引張られるファスナ部３７の固定域３８ａが、仮想線４６，４７で示すように、パネル部３０を介してシャシー２０における脚回り弾性部材１３をおむつ着用者の身体の上方に向かって引き上げるように力を作用させ、そのおむつ１のずり下がりを防ぐことができる。仮想線４６，４７は、パネル部３０の基縁部３２をシャシー２０と防漏堤１６とに対して接合させている接合部位４８の前端部分５０とファスナ部３７の固定域３８ａにおける前縁部３８ｃとを結ぶ線であって、後胴回り域７に向かって延びている脚周り弾性部材１３と交差している。
【００２５】
図２のＩＩＩ−ＩＩＩ線拡大断面図である図３において、パネル部３０を形成している弾性シート３１が前縁部３４と後縁部３６とに沿っておむつ１の外側に向かって折曲され、弾性シート３１どうしが前方弾性部材５１または後方弾性部材５２をサンドウィッチするように重なり合い、前方重層部４１と後方重層部４２とを形成している。ここでいう重層部とは、パネル部３０の中央域４５を形成しているシート材料、例えば弾性シート３１の前後方向Ｙにおける拡張部分である前縁部３４および／または後縁部３６に対して弾性シート３１とは別体の材料、例えば前方弾性部材４１や後方弾性部材４２が重なっていることを意味している。そのような前方重層部４１と後方重層部４２とのそれぞれでは、ホットメルト接着剤４３を介して弾性シート３１どうし、および弾性シート３１と前方弾性部材５１または後方弾性部材５２とが接合している。前方弾性部材５１と後方弾性部材５２とは、前縁部３４と後縁部３６とにおいての弾性シート３１に対する追加の材料であって、糸状や帯状等の形態をとることができ、基縁部３２と先端縁部３３との間において伸長状態または非伸長状態で延びている。伸長状態にある弾性部材５１や５２は、それらの弾性率にもよるが、伸長率が好ましくは３．５倍以下、より好ましくは２．５倍以下、さらに好ましくは１．５倍以下に抑えられていると、前縁部３４や後縁部３６を過度に収縮させることがない。前縁部３４が延びる方向と直交する方向において測定される前方重層部４１の幅Ｗ１と、後縁部３６が延びる方向と直交する方向において測定される後方重層部４２の幅Ｗ２とは（図２参照）、３−１５ｍｍの範囲にある。弾性シート３１には、ポリエチレン繊維やポリプロピレン繊維とポリウレタン繊維とを含む弾性的に伸長可能な不織布、ポリウレタン繊維で形成された弾性的に伸長可能な不織布、ポリウレタンフィルムの如き弾性的に伸長可能なフィルム等を使用することができる。
【００２６】
再び図２において、パネル部３０における先端縁部３３にはファスナ部３７における固定域３８ａが接着剤やエンボス加工等の接合手段（図示せず）を使用して取り付けられている。ファスナ部３７は、前後方向Ｙに幅Ｗ３を有し、その幅Ｗ３は、先端縁部３３における前方重層部４１と後方重層部４２との離間寸法Ｄ１よりも小さく、前方重層部４１と後方重層部４２とに重なることがないようにパネル部３０に取り付けられている。好ましいファスナ部３７は、離間寸法Ｄ１を有する先端縁部３３の中央部分またはその中央部分から後方に寄った位置においてパネル部３０に取り付けられる。
【００２７】
おむつ１を着用するときには、前後胴回り域６，７を着用者の胴回りにあてがってファスナ部３７の延出域３８ｂを摘持し、パネル部３０を胴回りに沿って引張りながら止着部３９を前胴回り域６におけるターゲットゾーン等の所要部位に止着する。このときのパネル部３０は、それを図２のパネル部３０でみると、弾性シート３１のうちで固定域３８ａの延長上に位置するパネル部３０の前後方向Ｙにおける中央域４５が図２における横方向Ｘへ引張られ、伸長することに相当する。一方、パネル部３０の前縁部３４と後縁部３６とは、折り重ねられた弾性シート３１の存在と追加の材料である前方弾性部材５１および後方弾性部材５２の存在とによって変形しにくい状態にあり、しわが生じたり、折れ曲がったり、パネル部３０の外面側に向かって反り返ったりするということが生じにくい。それゆえ、着用後のおむつ１の外面をみると、パネル部３０の存在する部分は平滑で、おむつ１の外観を損ねるということがない。
【００２８】
また、おむつ１を着用しているときに、変形しにくい後縁部３６は、ファスナ部３７に作用する胴回り方向の張力を後胴回り域７の弾性部材１２に作用させて、後胴回り域７を着用者に密着させるようにも作用する。
【００２９】
さらにはまた、着用状態にあるおむつ１では、ファスナ部３７が引張られることに伴って、固定域３８ａの前縁部３８ｃがシャシー２０における脚回り弾性部材１３をおむつ着用者の身体の上方に向かって引き上げるように力を作用させて、既述のようにそのおむつ１のずり下がりを防ぐことができる。なお、この発明において、前方弾性部材５１および／または後方弾性部材５２を、パネル部３０の内面に取り付けて、弾性シート３１によってサンドウィッチすることもできる。
【００３０】
図４は、図２，３に例示の前方弾性部材５１と後方弾性部材５２とを弾性シート３１に取り付ける方法の一例を示す図である。図に示された機械方向ＭＤには、弾性シート３１の連続体であるウエブ３００が走行している。機械方向ＭＤの上流側には、双頭矢印Ｆで示されている方向へ往復旋回運動をする第１アーム３０１と第２アーム３０２とが設けられている。それぞれのアーム３０１，３０２における先端のガイド穴３０１ａ，３０２ａには、糸状の第１連続弾性部材３５１と糸状の第２連続弾性部材３５２とが所要の伸長率と所要の速度とで供給される。ウエブ３００および／または第１，第２連続弾性部材３５１，３５２は、図示されていない工程でホットメルト接着剤が塗布されている。第１，第２アーム３０１，３０２は、旋回しながら第１，第２連続弾性部材３５１，３５２をウエブ３００の所要部位に供給することによって、第１，第２連続弾性部材３５１，３５２が所要のパターンの起伏を繰り返している図示例の複合ウエブ３１０が得られる。複合ウエブ３１０では、第１，第２連続弾性部材３５１，３５２のそれぞれを被覆するために、仮想線で示す折曲案内線３０５に沿ってウエブ３００を折り重ね、互いに接合する。しかる後に交差方向ＣＤへ伸びるカットラインＣに沿って接合ウエブ３１０を切断することによって、シャシー２０に取り付けることのできる一対のパネル３０を得ることができる。そのパネル３０には、適宜の工程においてファスナ部３７が取り付けられる。
【００３１】
図５は、実施態様の一例を示す図３と同様な図である。図５におけるパネル部３０では、弾性シート３１に対する追加の材料として前縁部３４の外面側に糸状の前方弾性部材５１と弾性被覆シート５３とがホットメルト接着剤４３を介して取り付けられて、前方重層部４１が形成される一方、もう一つの追加の材料として後縁部３６の外面側に糸状の後方弾性部材５２と弾性被覆シート５４とがホットメルト接着剤４３を介して取り付けられて、後方重層部４２が形成されている。これら前方弾性部材５１、弾性被覆シート５３、後方弾性部材５２、弾性被覆シート５４は、基縁部３２と先端縁部３３との間に伸長状態または非伸長状態で延びている。前方弾性部材５１と後方弾性部材５２とは、このように弾性シート３１とは別体の弾性被覆シート５３や弾性被覆シート５４によって被覆したり、必要ならば弾性シート３１とは別体であるだけではなくて、弾性シート３１とは弾性率の異なる弾性被覆シート５３や弾性被覆シート５４によって被覆したりすることができる。この発明において、図４の実施態様は、前方弾性部材５１と後方弾性部材５２とのうちの一方を使用することのない態様に変化させることもできる。前方弾性部材５１および後方弾性部材５２は、パネル部３０の内面に取り付けることもできる。
【００３２】
図６もまた、実施態様の一例を示す図５と同様な図である。パネル部３０における前縁部３４の外面には、弾性シート３１に対する追加の材料として、前方弾性部材５１と弾性被覆シート５３とに代わる帯状の弾性裏打ちシート５５がホットメルト接着剤４３を介して取り付けられて前方重層部４１が形成され、後縁部３６には、弾性シート３１に対する追加の材料として、後方弾性部材５２と弾性被覆シート４３とに代わる帯状の弾性裏打ちシート５６がホットメルト接着剤４３を介して取り付けられて後方重層部４２が形成されている。これらの弾性裏打ちシート５５，５６は、基縁部３２と先端縁部３３との間に伸長状態または非伸長状態で延びている。弾性裏打ちシート５５，５６には、弾性シート３１とは異なる弾性率を有するシートを使用することができる。また、弾性裏打ちシート５５，５６のうちの少なくとも一方をパネル部３０の内面に取り付けることもできる。
【００３３】
図７もまた、実施態様の一例を示す図２と同様な図であるが、部材の一部が破断した状態で示されている。図７のパネル部３０の内面では、弾性シート３１に対する追加の材料として、シート状の弾性部材である前方弾性シート５７と後方弾性シート５８とが非伸長状態でホットメルト接着剤４３を介して取り付けられることによって、前方重層部４１と後方重層部４２とが形成されている。前方弾性シート５７は前縁部３４とファスナ部３７との間、より詳しくは前縁部３４と中央域４５との間にあり、後方弾性シート５８は後縁部３６とファスナ部３７との間、より詳しくは後縁部３６と中央域４５との間にある。このように形成されるパネル部３０もまた、ファスナ部３７が横方向Ｘへ引張られると、中央域４５が容易に弾性的に伸長する一方、前縁部３４と中央域４５との間の部分である前方重層部４１、および後縁部３６と中央域４６との間の部分である後方重層部４２が伸長しにくい部分となって前縁部３４や後縁部３６の変形を抑えることができる。前方弾性シート５７と後方弾性シート５８とは、弾性率が弾性シート３１のそれと同じであってもよいし、異なっていてもよい。
【００３４】
この発明において、パネル部３０が弾性的に伸長と収縮とを反復することができるものである場合、前縁部３４、後縁部３６、中央域４５の弾性的な伸び易さ、伸びにくさを比較するのには、次のようにする。すなわち、前縁部３４と後縁部３６とについては、それぞれが延びる方向と直交する方向の幅が５ｍｍ、平行する方向の長さが４０ｍｍの試片を採取する。また、中央域４５については前後方向Ｙの幅が５ｍｍ、横方向Ｘの長さが４０ｍｍの試片を採取する。これらの試片について、引張試験機のチャック間隔が２０ｍｍとなるように引張試験機にセットする。引張速度を５０ｍｍ／ｍｉｎに設定し、伸長率が２０％であるときに、各試片に生じた応力を比較して、応力の小さい方の試片を延びやすいものと判断する。なお、この発明において、弾性的に伸びるというときには、試片を２０％伸長後に、その伸長から解放した試片の長さが１分以内に元の長さの１．０５倍以下になることを意味している。
【００３５】
この発明においてはまた、パネル部３０について、図示例の伸長と収縮との反復が可能な弾性シート３１に代えて、非伸長性のシートを使用することもできる。ポリエチレン繊維やポリプロピレン繊維、ポリエステル繊維等で形成されていて、実質的な意味において非伸長性であるポイントボンド不織布、スパンボンド不織布、スパンレース不織布、これら不織布の積層体等を使用することができる他に、非伸長性のプラスチックフィルムを使用することもできる。これら非伸長性のシートに対して使用される追加の材料は、図示例の前方弾性部材５１や後方弾性部材５２の如き伸長と収縮とを反復することのできる弾性材料であってもよいし、伸長と収縮とを反復することのできない非弾性的な材料であってもよい。
【符号の説明】
【００３６】
１    着用物品（おむつ）
６    前胴回り域
７    後胴回り域
８    股下域
１３    脚回り弾性部材
２０    シャシー
２１    側縁部
３０    パネル部
３１    シート材料
３２    基縁部
３３    先端縁部
３４    前縁部（拡張部分）
３６    後縁部（拡張部分）
３７    ファスナ部
３８    テープ部
３８ａ    固定域
３８ｂ    延出域
３８ｃ    前縁部
３９    止着部
４５    中央域
４６    線
４７    線
４８    接合部位
５０    前端部分
５１，５２，５３，５４，５５，５６，５７，５８    追加の材料（弾性部材）
Ｗ３    離間寸法
Ｘ    横方向
Ｙ    前後方向
α    交角
β    交角
【図１】
2014073251.tif 000003
【図２】
2014073251.tif 000004
【図３】
2014073251.tif 000005
【図４】
2014073251.tif 000006
【図５】
2014073251.tif 000007
【図６】
2014073251.tif 000008
【図７】
2014073251.tif 000009